(57)【要約】      （修正有）【課題】スタティック駆動方式とデューティ駆動方式との各駆動方式による表示領域間の表示見栄えの違いを低コストで低減することが可能な液晶表示装置を提供する。【解決手段】液晶表示装置１００は、液晶パネル１０２と、液晶パネル１０２に照射するための光を発する光源１０６と、光を拡散する拡散板１０８と、を備える。液晶パネル１０２は、スタティック駆動方式により表示される第１表示領域Ｓと、デューティ駆動方式により表示される第２表示領域Ｄと、を含む。拡散板１０８は、光を第１表示領域Ｓへ向けて拡散させる第１拡散部１２４と、光を前記第２表示領域Ｄへ向けて拡散させる第２拡散部１２５と、を含む。第１拡散部１２４と第２拡散部１２５とは、明度、彩度、色相の少なくとも１つが異なる。【選択図】図２
2017062331.tif 000002
【特許請求の範囲】
【請求項１】
液晶パネルと、
前記液晶パネルに照射するための光を発する光源と、
前記光を拡散する拡散板と、を備え、
前記液晶パネルは、
スタティック駆動方式により表示される第１表示領域と、
デューティ駆動方式により表示される第２表示領域と、を含み、
前記拡散板は、
前記光を前記第１表示領域へ向けて拡散させる第１拡散部と、
前記光を前記第２表示領域へ向けて拡散させる第２拡散部と、を含み、
前記第１拡散部と前記第２拡散部とは、明度、彩度、色相の少なくとも１つが異なる
ことを特徴とする液晶表示装置。
【請求項２】
前記光を導いて前記液晶パネルに照射するための光を出射する導光体をさらに有し、
前記導光体は、
前記第１表示領域に照射するための光を反射する第１反射部と、
前記第２表示領域に照射するための光を反射する第２反射部と、を含み、
前記第１反射部と前記第２反射部とでは、反射率、彩度、色相の少なくとも１つが異なる
ことを特徴とする請求項１に記載の液晶表示装置。
【請求項３】
前記第１反射部は、前記第２反射部よりも、反射率が小さい
ことを特徴とする請求項２に記載の液晶表示装置。
【請求項４】
前記第１反射部及び前記第２反射部の各々は、前記導光体の外面に設けられた複数の凹凸を有し、
前記第１反射部は、前記第２反射部よりも、前記凹凸の密度が低い
ことを特徴とする請求項３に記載の液晶表示装置。
【発明の詳細な説明】
【技術分野】
【０００１】
本発明は、液晶表示装置に関する。
【背景技術】
【０００２】
液晶表示装置には、スタティック駆動方式での表示領域とデューティ駆動方式での表示領域とを備えるものがある。この種の液晶表示装置では、一般的に、スタティック駆動方式でのオン電圧が、デューティ駆動方式でのオン電圧より高く設定されるため、スタティック駆動方式とデューティ駆動方式とでは、電圧オン時の液晶の姿勢が異なるものとなる。そのため、スタティック駆動方式による表示領域（以下、「第１表示領域」ともいう。）とデューティ駆動方式による表示領域（以下、「第２表示領域」ともいう。）との間で明度、彩度、色相の少なくとも１つが異なるものとなり、両表示領域の表示見栄えが異なったものとなってしまうことがある。
【０００３】
例えば特許文献１には、第１表示領域と第２表示領域との表示見栄えを同等にするための技術が、開示されている。
【０００４】
特許文献１に記載の液晶表示装置は、液晶パネルと、スタティック駆動部と、デューティ駆動部とを備える。そして、液晶パネルは、液晶層を挟んで対置される一対の基板と、第１表示領域に対応付けられる第１の電極部と、第２表示領域に対応付けられる第２の電極部とを有する。
【０００５】
第１の電極部は、液晶層の表裏それぞれに設けられる表側電極と裏側電極とから構成されており、複数の開口部が、両電極の各々に設けられている。各電極の複数の開口部は、基板法線方向から見て重なるように配置される。
【先行技術文献】
【特許文献】
【０００６】
【特許文献１】特開２０１５−１１８３０１号公報
【発明の概要】
【発明が解決しようとする課題】
【０００７】
特許文献１に記載の液晶表示装置では、各電極の複数の開口部を基板法線方向から見て重なるように配置するには、各電極に複数の開口部を精度良く設け、さらに、開口部が基板法線方向に並ぶように各電極を精度良く配置する必要がある。そのため、特許文献１に記載の液晶表示装置を製造するために、手間、時間などのコストが掛かってしまう。
【０００８】
本発明は、上記実情に鑑みてなされたものであり、スタティック駆動方式とデューティ駆動方式との各駆動方式による表示領域間の表示見栄えの違いを低コストで低減することが可能な液晶表示装置を提供することを目的とする。
【課題を解決するための手段】
【０００９】
上記目的を達成するため、本発明に係る液晶表示装置は、
液晶パネルと、
前記液晶パネルに照射するための光を発する光源と、
前記光を拡散する拡散板と、を備え、
前記液晶パネルは、
スタティック駆動方式により表示される第１表示領域と、
デューティ駆動方式により表示される第２表示領域と、を含み、
前記拡散板は、
前記光を前記第１表示領域へ向けて拡散させる第１拡散部と、
前記光を前記第２表示領域へ向けて拡散させる第２拡散部と、を含み、
前記第１拡散部と前記第２拡散部とは、明度、彩度、色相の少なくとも１つが異なる
ことを特徴とする。
【発明の効果】
【００１０】
本発明によれば、明度、彩度、色相の少なくとも１つが異なる第１拡散部と第２拡散部とを有する拡散板を備える。
【００１１】
そのため、第１表示領域と第２表示領域との各々に照射する光を各表示領域に応じた異なるものにすることで、第１表示領域と第２表示領域との表示見栄えの違いを低減することができる。また、上述のような拡散板を配置するだけでよいので、従来のように第１表示領域に対応付けられる第１の電極部を構成する各電極に複数の開口部を複数設けた液晶表示装置よりも、液晶表示装置を製造するためのコストを低減することができる。
【００１２】
従って、スタティック駆動方式とデューティ駆動方式との各駆動方式による表示領域間の表示見栄えの違いを低コストで低減することが可能になる。
【図面の簡単な説明】
【００１３】
【図１】本発明の一実施の形態に係る液晶表示装置の正面図である。
【図２】図１に示すＡ−Ａ線における液晶表示装置の断面図である。
【図３】図１に示すＡ−Ａ線における液晶パネルの拡大断面図である。
【図４】図１に示すＡ−Ａ線における導光体の拡大断面図である。
【発明を実施するための形態】
【００１４】
以下、本発明の一実施の形態について、図面を参照しつつ説明する。全図を通じて同一の要素には同一の符号を付す。
【００１５】
本発明の一実施の形態に係る液晶表示装置１００は、自動車の走行速度、燃料の残量など自動車に関する各種の情報をユーザである運転手に知らせるため、文字、数字、記号、画像などを表示する装置であり、自動車に搭載される。
【００１６】
なお、液晶表示装置１００は、自動車に限らず、その他の乗り物や装置などに搭載されてもよく、表示によってユーザに知らせる情報は、適宜変更されてよい。
【００１７】
液晶表示装置１００は、正面図である図１と図１のＡ−Ａ線における断面図である図２に示すように、開口を通じて外部に連通する内部の空間を形成する筐体１０１と、開口を通じて筐体１０１の外部から見ることができる液晶パネル１０２と、液晶パネル１０２の前面に設けられて筐体１０１と液晶パネル１０２に挟持された保護シート１０３と、液晶を駆動するための電圧を液晶パネル１０２に印加する第１駆動部１０４及び第２駆動部１０５と、光を発する光源１０６と、光源１０６からの光を液晶パネル１０２の後方へ導いて液晶パネル１０２へ照射するための光を出射する導光体１０７と、導光体１０７から放出された光を液晶パネル１０２へ向けて拡散させる拡散板１０８と、導光体１０７を筐体１０１に対して固定するための支持部材１０９とを備える。
【００１８】
以下の説明では、液晶表示装置が情報を表示する方向、すなわち液晶パネル１０２の２つの主面のうち、運転手と対向する主面が向く方向を前方とし、その逆の方向を後方とする。また、液晶表示装置１００を前方から見て、第１表示領域Ｓ及び第２表示領域Ｄに表示された情報を正しく読み取れるように液晶表示装置１００を設置した状態で「上」「下」「右」「左」の各方向が規定されるものとする。これらの方向を表す用語は、説明のために用いるのであって、発明を限定する趣旨ではない。
【００１９】
筐体１０１は、内部の空間に他の部材１０２〜１０９が収容される箱状の部材であり、例えば樹脂を主たる材料として作られる。筐体１０１の内部において、各部材１０２〜１０９は、部材同士が又は部材１０２〜１０９と筐体１０１とが当接、接着、ネジ止めされることなどにより、筐体１０１に対して固定されている。筐体１０１は、液晶パネル１０２の第１表示領域Ｓ及び第２表示領域Ｄ（詳細後述）を前方から見えるようにする開口を囲む開口部１１０を有する。
【００２０】
液晶パネル１０２は、内部に保持された液晶の向きを変えることで、後方から照射される光の透過と遮断とを切り替える液晶パネルであって、異なる駆動方式を採用する第１表示領域Ｓと第２表示領域Ｄとを一体に有する。
【００２１】
第１表示領域Ｓは、液晶パネル１０２が有する表示領域のうち、表示方式としてセグメント表示方式を採用する領域であり、この領域に対応する液晶の駆動方式には、スタティック駆動方式が採用される。
【００２２】
第２表示領域Ｄは、液晶パネル１０２が有する表示領域のうち、表示方式としてドット表示方式を採用する領域であり、この領域に対応する液晶の駆動方式には、デューティ（ダイナミック）駆動方式が採用される。
【００２３】
詳細には、液晶パネル１０２は、拡大断面図である図３に概略を示すように、前後に対置された一対の基板１１１ａ，１１１ｂと、一対の基板１１１ａ，１１１ｂの間に設けられた液晶層１１２と、液晶層１１２を挟む配向膜１１３ａ，１１３ｂと、第１表示領域Ｓに対応する部分の液晶層１１２及び配向膜１１３ａ，１１３ｂを挟むように基板１１１ａ，１１１ｂの各々に設けられた一対の第１電極１１４ａ，１１４ｂと、第２表示領域Ｄに対応する部分の液晶層１１２及び配向膜１１３ａ，１１３ｂを挟むように基板１１１ａ，１１１ｂの各々に設けられた一対の第２電極１１５ａ，１１５ｂと、一対の基板１１１ａ，１１１ｂを挟む偏光板１１６ａ，１１６ｂとを有する。
【００２４】
一対の基板１１１ａ，１１１ｂは、各々が透明な平板状の部材であって、各主面の法線が前後を向いて互いに前後に対向するように配置されている。基板１１１ａ，１１１ｂの各々は、例えば、ガラス、樹脂などを材料として作られる。
【００２５】
液晶層１１２は、基板１１１ａと基板１１１ｂと両基板１１１ａ，１１１ｂを接合するシール材（不図示）とによって形成され、スペーサ（不図示）により層厚（セルギャップ）が保持された空間に液晶が封止された層である。液晶は、誘電率異方性Δεが負の素材から構成される。
【００２６】
配向膜１１３ａ，１１３ｂは、それぞれ、液晶層１１２の前面及び後面に接して覆う垂直配向膜であり、例えばポリイミドを材料としてフレクソ印刷など公知の方法で形成される。配向膜１１３ａ，１１３ｂは、液晶層１１２に電圧が印加されていない無印加状態において、前後に、すなわち、基板１１１ａ，１１１ｂの各々の主面に対して概ね垂直に、液晶を配向させる。ここで、無印加状態とは、液晶が倒れ始めるオン電圧以上の電圧が液晶層１１２に印加されていないことを意味する。
【００２７】
第１電極１１４ａ，１１４ｂ及び第２電極１１５ａ，１１５ｂの各電極は、光を透過する透明電極であって、典型的には、酸化インジウムを主成分とするＩＴＯ（Ｉｎｄｉｕｍ  Ｔｉｎ  Ｏｘｉｄｅ）膜などから構成される。第１電極１１４ａ，１１４ｂ及び第２電極１１５ａ，１１５ｂの各電極は、スパッタ、蒸着、エッチングなどの公知の方法で、後述するように基板１１１ａ，１１１ｂのいずれかに、所定の形状でパターニングされて形成される。
【００２８】
第１電極１１４ａは、基板１１１ａの後面のうち、第１表示領域Ｓに対応する部分に、すなわち第１表示領域Ｓの文字、数字、記号、画像などを表示するための液晶層１１２の前方部分に設けられたコモン電極である。第１電極１１４ｂは、基板１１１ｂの前面のうち、第１表示領域Ｓに対応する部分に、すなわち第１表示領域Ｓの文字、数字、記号、画像などを表示するための液晶層１１２の後方部分に設けられたセグメント電極である。
【００２９】
なお、第１電極１１４ａがセグメント電極であり、第１電極１１４ｂがコモン電極であってもよい。
【００３０】
第２電極１１５ａは、基板１１１ａの後面のうち、第２表示領域Ｄに対応する部分に、すなわち第２表示領域Ｄの文字、数字、記号、画像などを表示するための液晶層１１２の前方部分に設けられたコモン電極である。第２電極１１５ｂは、基板１１１ｂの前面のうち、第２表示領域Ｄに対応する部分、すなわち第２表示領域Ｄの文字、数字、記号、画像などを表示するための液晶層１１２の後方部分に設けられたセグメント電極である。
【００３１】
なお、第２電極１１５ａがセグメント電極であり、第２電極１１５ｂがコモン電極であってもよい。
【００３２】
偏光板１１６ａ，１１６ｂの各々は、概ね平板状の部材であり、一方の主面から入射した光を、吸収軸に直行する透過軸に沿った直線偏光として他方の主面から出射する。偏光板１１６ａは、基板１１１ａの前方に設けられ、偏光板１１６ｂは、基板１１１ｂの後方に設けられている。偏光板１１６ａ，１１６ｂは、前方から見て、それぞれの吸収軸が互いに直行するように配置されている（直行ニコル配置）。
【００３３】
再び図２を参照する。
保護シート１０３は、液晶パネル１０２の前面を保護するために適宜設けられる透明なシート状の部材であり、例えば樹脂を主たる材料として作られる。保護シート１０３は、液晶パネル１０２の前面のうち、少なくとも第１表示領域Ｓ及び第２表示領域Ｄに密着するとともに、開口部１１０を後方から覆っており、液晶パネル１０２と開口部１１０とに挟持されている。
【００３４】
これにより、運転手は、液晶パネル１０２の第１表示領域Ｓ及び第２表示領域Ｄに表示された文字、数字、記号、画像などを、保護シート１０３を介して筐体１０１の開口から見ることができる。
【００３５】
第１駆動部１０４と第２駆動部１０５との各々は、図２に示すように、液晶パネル１０２の後方に配置される。
【００３６】
第１駆動部１０４は、図３に示すように、第１電極１１４ａ，１１４ｂの各々に第１配線１１７ａ，１１７ｂを介して接続されており（図２では不図示）、スタティック駆動方式により第１電極１１４ａ，１１４ｂの各々に駆動電圧を印加する。第１駆動部１０４は、例えば、回路基板、この回路基板に実装されたスタティック駆動用ＩＣ（Ｉｎｔｅｇｒａｔｅｄ  Ｃｉｒｃｕｉｔ）などから構成される。
【００３７】
第２駆動部１０５は、図３に示すように、第２電極１１５ａ，１１５ｂの各々に第２配線１１８ａ，１１８ｂを介して接続されており（図２では不図示）、デューティ駆動方式により第２電極１１５ａ，１１５ｂの各々に駆動電圧を印加する。第２駆動部１０５は、例えば、回路基板、この回路基板に実装されたデューティ駆動用ＩＣ（Ｉｎｔｅｇｒａｔｅｄ  Ｃｉｒｃｕｉｔ）などから構成される。
【００３８】
再び図２を参照する。
光源１０６は、液晶パネル１０２に照射するための光を発する。光源１０６は物理的には、例えば、上下に並べられたＬＥＤ（Ｌｉｇｈｔ  Ｅｍｉｔｔｉｎｇ  Ｄｉｏｄｅ）などから構成される。
【００３９】
なお、第１駆動部１０４と第２駆動部１０５と光源１０６とは、物理的には共通の回路基板に設けられ、その回路基板が筐体１０１に固定されてもよい。
【００４０】
導光体１０７は、入射部１１９に入射した光源１０６からの光を液晶パネル１０２の後方へ導き、液晶パネルに照射するための光を出射する部材である。導光体１０７は、アクリル樹脂（ＰＭＭＡ）などの合成樹脂を材料として、射出形成により作られる。
【００４１】
詳細には、導光体１０７は、図２及び拡大断面図である図４に示すように、光源１０６に対向する端部である入射部１１９と、入射部１１９から右前方へ湾曲する湾曲部１２０と、湾曲部１２０の一端に接続して、液晶パネル１０２の後方にて面状に拡がる面状部１２１とを有する。面状部１２１は、後面部は、第１表示領域Ｄに照射するための光を反射する第１反射部１２２と、第２表示領域Ｓに照射するための光を反射する第２反射部１２３と、を後方に含む。
【００４２】
第１反射部１２２と第２反射部１２３との各々の表面には、多数の微細な円錐などの凹凸が設けられている。第１反射部１２２と第２反射部１２３とでは、図４に示すように、微細な円錐の密度が異なっており、これにより、反射率が異なる。
【００４３】
より詳細には、図４に示すように、第１反射部１２２には、第２反射部１２３よりも大きいピッチの円錐を設けるなど凹凸が低い密度で設けられる。これにより、第１反射部１２２の反射率は、第２反射部１２３の反射率よりも小さくなる。
【００４４】
再び図２を参照する。
拡散板１０８は、導光体１０７と液晶パネル１０２との間に設けられるシート状の透光性を有する部材であり、導光体１０７から放出された光を後面で受け、受けた光を拡散して前面から出射させる。拡散板１０８は、ＰＣ（ポリカーボネート）などの樹脂を材料として作られる。
【００４５】
本実施の形態に係る拡散板１０８は、後面で受けた光を第１表示領域Ｓへ向けて拡散させる第１拡散部１２４と、後面で受けた光を第２表示領域Ｄへ向けて拡散させる第２拡散部１２５とを含む。
【００４６】
第１拡散部１２４は、拡散板１０８のうち、第１表示領域Ｓに対応する部分、例えば、第１表示領域Ｓの後方に位置する部分である。第２拡散部１２５は、拡散板１０８のうち、第２表示領域Ｄに対応する部分、例えば、第２表示領域Ｄの後方に位置する部分である。
【００４７】
第１拡散部１２４と第２拡散部１２５とは、明度、彩度、色相の少なくとも１つが異なる。例えば、第１拡散部１２４の前面及び後面の少なくとも一方と第２拡散部１２５の前面及び後面の少なくとも一方とに、色などが異なる印刷を施すことで、明度、彩度、色相の少なくとも一方が異なる第１拡散部１２４及び第２拡散部１２５を設けることができる。
【００４８】
詳細には例えば、第１拡散部１２４と第２拡散部１２５とで明度が異なる場合、第１拡散部１２４は、第２拡散部１２５よりも明度が低くなるように設けられるとよい。また、第１拡散部１２４と第２拡散部１２５とで彩度、色相のいずれか一方が異なる場合、第１拡散部１２４は、第２拡散部１２５よりも色が濃くなるように設けられるとよい。
【００４９】
支持部材１０９は、筐体１０１に固定されており、導光体１０７の後面を支持する。これにより、支持部材１０９と筐体１０１の開口部１１０の近傍との間で、導光体１０７、拡散板１０８、液晶パネル１０２、保護シート１０３が挟持される。
【００５０】
支持部材１０９は、例えば樹脂などを材料として作られ、ポリプロピレンなど白色であることが望ましい。支持部材１０９を白色にすることで、導光体１０７から後方へ漏れた光を導光体１０７の内部へ向けて反射し、同一の光源１０６であっても、より多くの光を液晶パネル１０２に照射することができる。特に第１反射部１２２及び第２反射部１２３に彩色されない場合に有効である。
【００５１】
これまで、本発明の一実施の形態に係る液晶表示装置１００の構成について説明した。ここから、本実施の形態に係る液晶表示装置１００の動作について説明する。
【００５２】
本実施の形態では、液晶パネル１０２が、垂直配向方式（ＶＡ（Ｖｉｒｔｉｃａｌ  Ａｌｉｇｎｍｅｎｔ）方式）でネガ表示型（ノーマリーブラックモード）である場合を例に説明する。
【００５３】
液晶表示装置１００は、例えば、運転手の操作により自動車の電源が投入されると、電源（不図示）から電力の供給を受けて動作を開始し、例えば運転手の操作により、自動車の電源が遮断されるまで、動作を継続する。
【００５４】
液晶表示装置１００の動作中は、光源１０６が光を発する。光源１０６からの光は、導光体１０７の入射部１１９に入射し、導光体１０７の内部を伝搬する。第１反射部１２２と第２反射部１２３とで反射した光は、それぞれ、第１表示領域Ｓと第２表示領域Ｄとへ向けて出射される。導光体１０７から第１表示領域Ｓと第２表示領域Ｄとへ向けて出射された光は、それぞれ、第１拡散部１２４と第２拡散部１２５とにより拡散される。
【００５５】
このとき、液晶層１１２に電圧が印加されていない無印加状態では、液晶パネル１０２の液晶は、配向膜１１３ａ，１１３ｂにより、概ね前後に配向させられている。また、偏光板１１６ａ，１１６ｂは、直行ニコル配置で配置される。
【００５６】
そのため、第１拡散部１２４と第２拡散部１２５との各々で拡散されて拡散板１０８から出射した光は、液晶パネル１０２で遮断される。その結果、無印加状態では、第１表示領域Ｓと第２表示領域Ｄとは、いずれも、概ね黒色となる。
【００５７】
第１駆動部１０４は、制御装置（不図示）の制御の下で、第１電極１１４ａ，１１４ｂに電圧を印加する。
【００５８】
詳細には例えば、第１駆動部１０４は、自動車の走行速度に応じた数字、文字及び記号を、第１表示領域Ｓに表示させるための信号を制御装置から取得する。第１駆動部１０４は、取得した信号に従って、第１電極１１４ａ，１１４ｂの所定の領域に電圧を印加する。
【００５９】
第１電極１１４ａ，１１４ｂの所定の領域にオン電圧が印加されると、オン電圧が印加された領域の第１電極１１４ａ，１１４ｂに挟まれた液晶は、基板１１１ａ，１１１ｂと概ね平行となるように挙動する。これにより、液晶層１１２を透過する光に複屈折が起き、光の偏光方向が変化する。そのため、第１反射部１２２で反射されて第１拡散部１２４を出射した光は、液晶層１１２へ後方から入射し、偏光板１１６ａを透過する。このように、オン電圧が印加された第１電極１１４ａ，１１４ｂの領域では、液晶パネル１０２が、透過表示状態となる。
【００６０】
これにより、第１表示領域Ｓには、例えば図１に示すように、自動車の走行速度に応じた３ケタの数字と「ｋｍ／ｈ」とが表示される。各数字は、いわゆる７セグメント方式で表示される。
【００６１】
第２駆動部１０５は、制御装置（不図示）の制御の下で、第２電極１１５ａ，１１５ｂに電圧を印加する。
【００６２】
第２駆動部１０５は、各種の情報に応じた文字、数字、記号、画像などを、第２表示領域Ｄに表示させるための信号を制御装置から取得する。第２駆動部１０５は、取得した信号に従って、第２電極１１５ａ，１１５ｂの所定の領域に電圧を印加する。
【００６３】
第２電極１１５ａ，１１５ｂの所定の領域にオン電圧が印加されると、第１電極１１４ａ，１１４ｂの所定の領域にオン電圧が印加された場合と概ね同様に、液晶が挙動する。その結果、第２反射部１２３で反射されて第２拡散部１２５を出射した光は、液晶層１１２へ後方から入射し、偏光板１１６ｂを透過する。従って、オン電圧が印加された第２電極１１５ａ，１１５ｂの領域では、液晶パネル１０２が、透過表示状態となる。
【００６４】
これにより、第２表示領域Ｄには、予め定められた各種の情報に応じた文字、数字、記号、画像が表示される。第２表示領域Ｄは、上述の通りドット表示方式が採用される表示領域であるので、所定の文字、数字、記号だけでなく、アイコン、車載カメラの映像などの画像を表示することもできる。
【００６５】
一般的に、スタティック駆動方式でのオン電圧がデューティ駆動方式でのオン電圧より高く設定される。そのため、第１表示領域Ｓと第２表示領域Ｄとを一体に有する液晶表示装置１００では、液晶パネル１０２へのオン電圧印加時に、第１表示領域Ｓと第２表示領域Ｄとの各々に対応する部分の液晶の配向（角度）が異なることが多い。そのため、何の対策も講じなければ、スタティック駆動方式に対応する第１表示領域Ｓと、デューティ駆動方式に対応する第２表示領域Ｄとでは、表示見栄え、すなわち輝度、彩度、色相の少なくとも１つが異なることが多い。
【００６６】
そこで、第１反射部１２２と第２反射部１２３とは、第１表示領域Ｓと第２表示領域Ｄとの表示見栄えの違いを低減するように反射率が異なっているとよい。
【００６７】
例えば、輝度について言えば、何の対策も講じなければ、第１表示領域Ｓは、第２表示領域Ｄよりも明るくなることが多い。
【００６８】
本実施の形態のように、第１反射部１２２の反射率を第２反射部１２３の反射率よりも小さくすることで、第１表示領域Ｓに照射する光量が、第２表示領域Ｄに照射する光量よりも少なくなる。そのため、液晶の配向の違いに起因する第１表示領域Ｓと第２表示領域Ｄとの輝度の違いを補正し、第１表示領域Ｓと第２表示領域Ｄと間の表示見栄えの違いを低減することができる。
【００６９】
また、本実施の形態では、第１拡散部１２４と第２拡散部１２５とは、明度、彩度、色相の少なくとも１つが異なる。これにより、第１拡散部１２４を通過した光と第２拡散部１２５を通過した光とでは、明度、彩度、色相の少なくとも１つが異なる。
【００７０】
そこで、第１拡散部１２４と第２拡散部１２５とは、第１表示領域Ｓと第２表示領域Ｄとの表示見栄えの違いを低減するように、明度、彩度、色相の少なくとも１つが異なっているとよい。
【００７１】
例えば、第１拡散部１２４と第２拡散部１２５とで明度が異なる場合、第１拡散部１２４は、第２拡散部１２５よりも明度が小さく設けられる。また例えば、第１拡散部１２４と第２拡散部１２５とで彩度、色相の少なくとも一方が異なる場合、第１拡散部１２４は、第２拡散部１２５よりも、色が濃くなるように設けられる。これにより、第１表示領域Ｓと第２表示領域Ｄと間の表示見栄えの違いを低減することができる。
【００７２】
このように、本実施の形態では、上述のような導光体１０７と拡散板１０８とを設けるだけで、第１表示領域Ｓと第２表示領域Ｄと間の表示見栄えの違いを低減することができる。従来のように各電極に複数の開口部を精度良く設け、さらに、その開口部が基板法線方向に並ぶように各電極を精度良く配置する必要がない。これにより、液晶表示装置を製造するためのコストを従来よりも低減することができる。
【００７３】
従って、第１表示領域Ｓと第２表示領域Ｄと間の表示見栄えの違いを低コストで低減することが可能になる。
【００７４】
これまで、本発明の一実施の形態について説明した。しかし、本発明は、一実施の形態に限定されるものではなく、種々の変更が加えられたものも含む。
【００７５】
例えば、液晶パネル１０２は、異なる駆動方式を採用する表示領域を一体に含んでいればよく、第１表示領域Ｓと第２表示領域Ｄとの表示方式、駆動方式は、適宜変更されてもよい。例えば、第１表示領域Ｄに、パッシブマトリックス方式のドット表示が表示方式として採用されてもよい。例えば、第２表示領域Ｄに、セグメント表示が表示方式として採用され、１／４デューティのデューティ駆動方式が採用されてもよい。これによっても、実施の形態と同様の効果を奏する。
【００７６】
例えば、実施の形態では、液晶パネル１０２が垂直配向方式でネガ表示型ある場合を例に説明したが、液晶パネル１０２は、これに限られない。液晶パネル１０２は、例えば、ＴＮ（Ｔｗｉｓｔｅｄ  Ｎｅｍａｔｉｃ）方式、ＩＰＳ（Ｉｎ−Ｐｌａｃｅ−Ｓｗｉｔｈｃｉｎｇ）方式などであってもよい。また例えば、液晶パネル１０２は、略白の背景領域に文字、数字、記号、画像などが黒く表示されるポジ表示型（ノーマリーホワイトモード）であってもよい。これによっても、実施の形態と同様の効果を奏する。
【００７７】
例えば、実施の形態では、液晶表示装置１００が導光体１０７と拡散板１０８との両者を備える例により説明したが、液晶表示装置１００は、導光体１０７と拡散板１０８とのいずれか一方のみを備えてもよい。
【００７８】
導光体１０７を備える場合には、上述のように、第１反射部１２２と第２反射部１２３とは、第１表示領域Ｓと第２表示領域Ｄと間の表示見栄えの違いを低減するように、反射率が異なっているとよい。
【００７９】
また、拡散板１０８を備える場合には、上述のように、第１拡散部１２４と第２拡散部１２５とは、第１表示領域Ｓと第２表示領域Ｄと間の表示見栄えの違いを低減するように、明度、彩度、色相の少なくとも１つが異なっているとよい。
【００８０】
これにより、導光体１０７と拡散板１０８とのいずれか一方のみを備える場合であっても、実施の形態と同様の効果を奏する。
【００８１】
例えば、液晶パネル１０２に光を照射するために、実施の形態のようなエッジライト方式に代えて、例えば導光体１０７の後方にＬＥＤなどを面状に並べたバックライト方式が採用されてもよい。バックライト方式では、通常、導光体が用いられない。このような場合には、拡散板１０８のみを採用すればよい。これによっても、上述のように、実施の形態と同様の効果を奏する。
【００８２】
例えば、第１反射部１２２と第２反射部１２３とは、反射率とともに或いは反射率に代えて、彩度、色相の少なくとも一方が異なっていてもよい。第１反射部１２２と第２反射部１２３との各表面に、異なる色のインクを塗るなどの方法で、彩度、色相の少なくとも一方が異なる第１反射部１２２及び第２反射部１２３を設けることができる。第１反射部１２２と第２反射部１２３とは、第１表示領域Ｓと第２表示領域Ｄと間の表示見栄えの違いを低減するように、彩度、色相の少なくとも一方が異なるとよい。これにより、第１表示領域Ｓと第２表示領域Ｄと間の表示見栄えを低コストで低減することが可能になる。
【００８３】
詳細には例えば、上述のように、第１表示領域Ｓは、第２表示領域Ｄよりも明るくなることが多い。そのため、第１反射部１２２と第２反射部１２３とで、彩度、色相の少なくとも一方が異なる場合、第１反射部１２２は、第２反射部１２３よりも色が濃くなるように設けられるとよい。これにより、第１表示領域Ｓと第２表示領域Ｄとの表示見栄えの違いを低減することができる。このような導光体１０７を設けるだけで、第１表示領域Ｓと第２表示領域Ｄと間の表示見栄えの違いを低減することができるので、第１表示領域Ｓと第２表示領域Ｄと間の表示見栄えを低コストで低減することが可能になる。
【００８４】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００８５】
１００  液晶表示装置
１０１  筐体
１０２  液晶パネル
１０３  保護シート
１０４  第１駆動部
１０５  第２駆動部
１０６  光源
１０７  導光体
１０８  拡散板
１０９  支持部材
１１０  開口部
１１１ａ，１１１ｂ  基板
１１２  液晶層
１１３ａ，１１３ｂ  配向膜
１１４ａ，１１４ｂ  第１電極
１１５ａ，１１５ｂ  第２電極
１１６ａ，１１６ｂ  偏光板
１１７ａ，１１７ｂ  第１配線
１１８ａ，１１８ｂ  第２配線
１１９  入射部
１２０  湾曲部
１２１  面状部
１２２  第１反射部
１２３  第２反射部
１２４  第１拡散部
１２５  第２拡散部
Ｓ  第１表示領域
Ｄ  第２表示領域
【図１】
2017062331.tif 000003
【図２】
2017062331.tif 000004
【図３】
2017062331.tif 000005
【図４】
2017062331.tif 000006